(57)【要約】  通信システムにおいてネットワークスライシングを実行するためのシステムおよび方法。１つの実施形態において、ネットワークスライシングを採用する通信システム（１００、９００）における装置（１１０、２００、９１０、９２０）が、通信システム（１００、９００）との通信の優先度を示し、ネットワークスライス（スライス０、スライス１）に依存する基準に基づく事前設定済みアクセスカテゴリを選択するように設定される。装置（１１０、２００、９１０、９２０）は、また、通信システム（１００、９００）とのランダムアクセス手順に従って、事前設定済みアクセスカテゴリを含むアクセスメッセージ（ｍｓｇ３）を送信するように設定される。【選択図】図１３
2020507982.tif 000002
【特許請求の範囲】
【請求項１】
ネットワークスライシングを採用する通信システム（１００、９００）における装置（１１０、２００、９１０、９２０）であって、
前記通信システム（１００、９００）との通信の優先度を示し、ネットワークスライス（スライス０、スライス１）に依存する基準に基づく事前設定済みアクセスカテゴリを選択し、
前記通信システム（１００、９００）とのランダムアクセス手順に従って、前記事前設定済みアクセスカテゴリを含むアクセスメッセージ（ｍｓｇ３）を送信するように設定される処理回路（２１０）を備える、装置（１１０、２００、９１０、９２０）。
【請求項２】
前記装置（１１０、２００、９１０、９２０）が前記通信システム（１００、９００）にアタッチされるときに、前記アクセスメッセージ（ｍｓｇ３）が、前記ネットワークスライス（スライス０、スライス１）との通信のための汎用アクセスカテゴリを示す情報要素を含む、請求項１に記載の装置（１１０、２００、９１０、９２０）。
【請求項３】
前記装置（１１０、２００、９１０、９２０）が前記通信システム（１００、９００）にアタッチされるときに、前記アクセスメッセージ（ｍｓｇ３）が、好適なネットワークスライス、原因値、および所望のサービス品質のうちの少なくとも１つを示す、請求項１に記載の装置（１１０、２００、９１０、９２０）。
【請求項４】
前記処理回路（２１０）が、前記装置（１１０、２００、９１０、９２０）が前記通信システム（１００、９００）にアタッチされているかどうかに応じて、単一ネットワークスライス選択支援情報（Ｓ−ＮＳＳＡＩ）を含む別のアクセスメッセージ（ｍｓｇ５）を送信するようにさらに設定される、請求項１に記載の装置（１１０、２００、９１０、９２０）。
【請求項５】
前記処理回路（２１０）が、前記通信システム（１００、９００）との前記ランダムアクセス手順を開始するために初期アクセスメッセージ（ｍｓｇ１）を送信するようにさらに設定される、請求項１に記載の装置（１１０、２００、９１０、９２０）。
【請求項６】
前記処理回路（２１０）が、前記事前設定済みアクセスカテゴリに基づいてバーリングチェックを実行するようにさらに設定される、請求項１に記載の装置（１１０、２００、９１０、９２０）。
【請求項７】
ネットワークスライシングを採用する通信システム（１００、９００）においてユーザ機器（１１０、２００、９１０、９２０）によって実行される方法（１３００）であって、
前記通信システム（１００、９００）との通信の優先度を示し、ネットワークスライス（スライス０、スライス１）に依存する基準に基づく事前設定済みアクセスカテゴリを選択すること（１３３０）と、
前記通信システム（１００、９００）とのランダムアクセス手順に従って、前記事前設定済みアクセスカテゴリを含むアクセスメッセージ（ｍｓｇ３）を送信すること（１３５０）と、
を含む方法（１３００）。
【請求項８】
前記ユーザ機器（１１０、２００、９１０、９２０）が前記通信システム（１００、９００）にアタッチされるときに、前記アクセスメッセージ（ｍｓｇ３）が、前記ネットワークスライス（スライス０、スライス１）との通信のための汎用アクセスカテゴリを示す情報要素を含む、請求項７に記載の方法（１３００）。
【請求項９】
前記ユーザ機器（１１０、２００、９１０、９２０）が前記通信システム（１００、９００）にアタッチされるときに、前記アクセスメッセージ（ｍｓｇ３）が、好適なネットワークスライス、原因値、および所望のサービス品質のうちの少なくとも１つを示す、請求項７に記載の方法（１３００）。
【請求項１０】
前記ユーザ機器（１１０、２００、９１０、９２０）が前記通信システム（１００、９００）にアタッチされているかどうかに応じて、単一ネットワークスライス選択支援情報（Ｓ−ＮＳＳＡＩ）を含む別のアクセスメッセージ（ｍｓｇ５）を送信すること（１３６０）をさらに含む、請求項７に記載の方法（１３００）。
【請求項１１】
前記通信システム（１００、９００）との前記ランダムアクセス手順を開始するために、初期アクセスメッセージ（ｍｓｇ１）を送信すること（１３２０）をさらに含む、請求項７に記載の方法（１３００）。
【請求項１２】
前記事前設定済みアクセスカテゴリに基づいてバーリングチェックを実行すること（１３４０）をさらに含む、請求項７に記載の方法（１３００）。
【請求項１３】
ネットワークスライシングを採用する通信システム（１００、９００）における装置（１２０、３００、９２０）であって、
前記通信システム（１００、９００）においてユーザ機器（１１０、２００、９１０、９２０）とのランダムアクセス手順に従ってアクセスメッセージ（ｍｓｇ３）を受信し、前記アクセスメッセージ（ｍｓｇ３）が、前記通信システム（１００、９００）との通信の優先度を示し、ネットワークスライス（スライス０、スライス１）に依存する基準に基づく事前設定済みアクセスカテゴリを含み、
前記事前設定済みアクセスカテゴリおよび前記ネットワークスライス（スライス０、スライス１）に従って、前記ユーザ機器（１１０、２００、９１０、９２０）との接続を確立するためにセットアップメッセージ（ｍｓｇ４）を送信するように設定される処理回路（３１０）を備える、装置（１２０、３００、９２０）。
【請求項１４】
前記ユーザ機器（１１０、２００、９１０、９２０）が前記通信システム（１００、９００）にアタッチされるときに、前記アクセスメッセージ（ｍｓｇ３）が、前記ネットワークスライス（スライス０、スライス１）との通信のための汎用アクセスカテゴリを示す情報要素を含む、請求項１３に記載の装置（１２０、３００、９２０）。
【請求項１５】
前記ユーザ機器（１１０、２００、９１０、９２０）が前記通信システム（１００、９００）にアタッチされるときに、前記アクセスメッセージ（ｍｓｇ３）が、好適なネットワークスライス、原因値、および所望のサービス品質のうちの少なくとも１つを示す、請求項１３に記載の装置（１２０、３００、９２０）。
【請求項１６】
前記処理回路（３１０）が、前記ユーザ機器（１１０、２００、９１０、９２０）が前記通信システム（１００、９００）にアタッチされているかどうかに応じて、単一ネットワークスライス選択支援情報（Ｓ−ＮＳＳＡＩ）を含む別のアクセスメッセージ（ｍｓｇ５）を受信するようにさらに設定される、請求項１３に記載の装置（１２０、３００、９２０）。
【請求項１７】
前記処理回路（３１０）が、前記通信システム（１００、９００）において前記ユーザ機器（１１０、２００、９１０、９２０）との前記ランダムアクセス手順を開始するために初期アクセスメッセージ（ｍｓｇ１）を受信するようにさらに設定される、請求項１３に記載の装置（１２０、３００、９２０）。
【請求項１８】
前記接続が、前記ユーザ機器（１１０、２００、９１０、９２０）との前記通信の前記優先度を考慮する、請求項１３に記載の装置（１２０、３００、９２０）。
【請求項１９】
前記処理回路（３１０）が、前記ユーザ機器（１１０、２００、９１０、９２０）をコアネットワークインスタンス（９３０、９５０）にルーティングするために、前記コアネットワークインスタンス（９３０、９５０）にサービス要求メッセージ（初期ＵＥメッセージ）を送信するようにさらに設定される、請求項１３に記載の装置（１２０、３００、９２０）。
【請求項２０】
前記ユーザ機器（１１０、２００、９１０、９２０）が前記通信システム（１００、９００）にアタッチされるときに、前記サービス要求メッセージ（初期ＵＥメッセージ）が、前記ユーザ機器（１１０、２００、９１０、９２０）のシステムアーキテクチャエボリューション一時移動加入者識別を含む、請求項１９に記載の装置（１２０、３００、９２０）。
【請求項２１】
前記セットアップメッセージ（ｍｓｇ４）が、前記通信システム（１００、９００）へのアクセス権を有する前記事前設定済みアクセスカテゴリの機能である、請求項１３に記載の装置（１２０、３００、９２０）。
【請求項２２】
ネットワークスライシングを採用する通信システム（１００、９００）において基地局（１２０、３００、９２０）によって実行される方法（１４００）であって、
前記通信システム（１００、９００）においてユーザ機器（１１０、２００、９１０、９２０）とのランダムアクセス手順に従ってアクセスメッセージ（ｍｓｇ３）を受信すること（１４４０）であって、前記アクセスメッセージ（ｍｓｇ３）が、前記通信システム（１００、９００）との通信の優先度を示し、ネットワークスライス（スライス０、スライス１）に依存する基準に基づく事前設定済みアクセスカテゴリを含む、アクセスメッセージ（ｍｓｇ３）を受信すること（１４４０）と、
前記事前設定済みアクセスカテゴリおよび前記ネットワークスライス（スライス０、スライス１）に従って、前記ユーザ機器（１１０、２００、９１０、９２０）との接続を確立するためにセットアップメッセージ（ｍｓｇ４）を送信すること（１４５０）と、を含む方法（１４００）。
【請求項２３】
前記ユーザ機器（１１０、２００、９１０、９２０）が前記通信システム（１００、９００）にアタッチされるときに、前記アクセスメッセージ（ｍｓｇ３）が、前記ネットワークスライス（スライス０、スライス１）との通信のための汎用アクセスカテゴリを示す情報要素を含む、請求項２２に記載の方法（１４００）。
【請求項２４】
前記ユーザ機器（１１０、２００、９１０、９２０）が前記通信システム（１００、９００）にアタッチされるときに、前記アクセスメッセージ（ｍｓｇ３）が、好適なネットワークスライス、原因値、および所望のサービス品質のうちの少なくとも１つを示す、請求項２２に記載の方法（１４００）。
【請求項２５】
前記ユーザ機器（１１０、２００、９１０、９２０）が前記通信システム（１００、９００）にアタッチされているかどうかに応じて、単一ネットワークスライス選択支援情報（Ｓ−ＮＳＳＡＩ）を含む別のアクセスメッセージ（ｍｓｇ５）を受信すること（１４６０）をさらに含む、請求項２２に記載の方法（１４００）。
【請求項２６】
前記通信システム（１００、９００）において前記ユーザ機器（１１０、２００、９１０、９２０）との前記ランダムアクセス手順を開始するために、初期アクセスメッセージ（ｍｓｇ１）を受信すること（１４２０）をさらに含む、請求項２２に記載の方法（１４００）。
【請求項２７】
前記接続が、前記ユーザ機器（１１０、２００、９１０、９２０）との前記通信の前記優先度を考慮する、請求項２２に記載の方法（１４００）。
【請求項２８】
前記ユーザ機器（１１０、２００、９１０、９２０）をコアネットワークインスタンス（９３０、９５０）にルーティングするために、前記コアネットワークインスタンス（９３０、９５０）にサービス要求メッセージ（初期ＵＥメッセージ）を送信すること（１４７０）をさらに含む、請求項２２に記載の方法（１４００）。
【請求項２９】
前記ユーザ機器（１１０、２００、９１０、９２０）が前記通信システム（１００、９００）にアタッチされるときに、前記サービス要求メッセージ（初期ＵＥメッセージ）が、前記ユーザ機器（１１０、２００、９１０、９２０）のシステムアーキテクチャエボリューション一時移動加入者識別を含む、請求項２８に記載の方法（１４００）。
【請求項３０】
前記セットアップメッセージ（ｍｓｇ４）が、前記通信システム（１００、９００）へのアクセス権を有する前記事前設定されたアクセスカテゴリの機能である、請求項２２に記載の方法（１４００）。
【発明の詳細な説明】
【技術分野】
【０００１】
本出願は、２０１７年２月３日に出願された「ＳＹＳＴＥＭ  ＡＮＤ  ＭＥＴＨＯＤ  ＦＯＲ  ＮＥＴＷＯＲＫ  ＳＬＩＣＩＮＧ  ＩＮ  Ａ  ＣＯＭＭＵＮＩＣＡＴＩＯＮ  ＳＹＳＴＥＭ」と題する米国仮出願第６２／４５４，６９３号の利益を主張し、参照により本出願に組み込まれる。
【０００２】
本発明は、概して、通信システムを対象とし、より詳細には、通信システムにおいてネットワークスライシングを実行するためのシステムおよび方法を対象とする。
【背景技術】
【０００３】
第３世代パートナーシッププログラム（「３ＧＰＰ」）Ｌｏｎｇ  Ｔｅｒｍ  Ｅｖｏｌｕｔｉｏｎ（「ＬＴＥ」）通信システムの将来世代のモバイルネットワークへの進化の一部として、ネットワークスライシングの概念が開発されている。ネットワークスライシングは、コアネットワーク（「ＣＮ」）および／または無線アクセスネットワーク（「ＲＡＮ」）ならびに関連する管理システムにおける専用リソースおよび／または共有リソースを用いて、エンドツーエンドの論理ネットワークを規定すること、実現すること、および運用することを含む。
【０００４】
ネットワークスライシングの概念を導入することに関して、３ＧＰＰは、ユーザ機器（「ＵＥ」）が、無線リソース制御（「ＲＲＣ」）シグナリングを介してネットワーク（「ＮＷ」）スライス選択のための支援情報を提供することが可能であるべきであると結論づけた。ネットワークスライス選択は、ＵＥのためにＲＡＮ／ＣＮインターフェースをセットアップするためのＣＮインスタンスの選択だけでなく、特定のスライスに適したＲＡＮ設定の選択と理解されるべきである。これは、ネットワークスライスの概念を背景にして識別子を規定することを含む。解決策は、エアインターフェースに存在するシグナリング制約を尊重し、無線シグナリングに不必要な負荷をかけることを避けるべきである。
【発明の概要】
【０００５】
通信システムにおいてネットワークスライシングを実行するためのシステムおよび方法についての本発明の有利な実施形態によって、これらの、および他の問題が概して解決され、または回避され、技術的利点が概して達成される。１つの実施形態では、ネットワークスライシングを採用する通信システムにおける装置が、通信システムとの通信の優先度を示し、ネットワークスライスに依存する基準に基づく事前設定済みアクセスカテゴリを選択するように設定される。装置は、また、通信システムとのランダムアクセス手順に従って、事前設定済みアクセスカテゴリを含むアクセスメッセージを送信するように設定される。
【０００６】
前述のことは、以下に続く発明の詳細な説明がよりよく理解され得るように、本発明の特徴および技術的利点をやや広範に概説している。発明の追加的な特徴および利点は、以下に説明され、発明の特許請求の範囲の主題を形成する。構想および開示された特定の実施形態は、本発明の同じ目的を実施するために他の構造またはプロセスを修正または設計するための基礎として容易に利用され得ることが、当業者によって理解されるべきである。そのような等価な構成は、添付の特許請求の範囲において記述される発明の趣旨および範囲から逸脱しないことも、当業者によって認識されるべきである。
【０００７】
本発明をより完全に理解するために、ここで、添付図面と併せて行われる以下の説明に対する参照が行われる。
【図面の簡単な説明】
【０００８】
【図１】通信システムおよびその一部の実施形態の図を示す。
【図２】通信システムおよびその一部の実施形態の図を示す。
【図３】通信システムおよびその一部の実施形態の図を示す。
【図４】通信システムの実施形態のシステムレベル図を示す。
【図５】通信システムについての管理システムアーキテクチャの実施形態のブロック図を示す。
【図６】通信システムの実施形態のシステムレベル図を示す。
【図７】ホストコンピュータに接続された通信ネットワークを含む通信システムの実施形態の概略ビューを示す。
【図８】通信システムの実施形態のブロック図を示す。
【図９】ネットワークスライシングを実施する通信システムの実施形態のシステムレベル図を示す。
【図１０】動作中の通信システムの実施形態のシグナリング図を示す。
【図１１】動作中の通信システムの実施形態のシグナリング図を示す。
【図１２】動作中の通信システムの実施形態のシグナリング図を示す。
【図１３】通信システムを動作させる方法の実施形態のフロー図を示す。
【図１４】通信システムを動作させる方法の実施形態のフロー図を示す。
【発明を実施するための形態】
【０００９】
異なる図面中の対応する数字および記号は、概して、特段の指示がない限り対応する部分を参照し、最初のインスタンスの後は、簡潔性のために再度説明されなくてもよい。図面は、例示的実施形態の関連のある態様を示すために描かれている。
【００１０】
本例示的実施形態を作成すること、および使用することが、以下で詳細に説明されている。しかしながら、実施形態が、多様な特定の文脈において具現化され得る多くの適用可能な発明的概念を提供することは、理解されるべきである。説明される特定の実施形態は、通信システムにおいてネットワークスライシングを実行するためのシステムおよび方法についての、システム、サブシステム、およびモジュールを作成および使用するための特定の方法を単に例示している。第３世代パートナーシッププログラム（「３ＧＰＰ」）Ｌｏｎｇ  Ｔｅｒｍ  Ｅｖｏｌｕｔｉｏｎ（「ＬＴＥ」）通信システムの環境において、原理が説明されるが、Ｗｉ−Ｆｉ無線通信システムなどの任意の環境が、本開示の広範な範囲内では適当である。
【００１１】
最初に図１から図３を参照すると、通信システム１００およびその一部の実施形態の図が示される。図１に示されるように、通信システム１００は、無線通信デバイスの１つまたは複数のインスタンス（そのうちの１つが１１０と指定され、ユーザ機器（「ＵＥ」）とも呼ばれる）を含む。
【００１２】
無線通信デバイス１１０は、アドレス可能なインターフェース（例えば、インターネットプロトコル（「ＩＰ」）アドレス、Ｂｌｕｅｔｏｏｔｈ識別子（「ＩＤ」）、近接通信（「ＮＦＣ」）ＩＤ、など）、セル無線ネットワーク一時識別子（「Ｃ−ＲＮＴＩ」）を有し、ならびに／またはアクセスネットワークを介してサービスにアクセスすることを目的とし、およびアドレス可能なインターフェースを介してアクセスネットワーク上で通信するように設定される、任意のデバイスであってもよい。例えば、無線通信デバイス１１０は、携帯電話、スマートフォン、センサデバイス、メータ、車両、家庭用機器、医療用機器、メディアプレーヤ、カメラ、または例えば、テレビ、ラジオ、照明装置、タブレットコンピュータ、ラップトップ、もしくはＰＣなど、これらに限定されない任意の種類の消費者電化製品であってもよいが、これらに限定されない。無線通信デバイス１１０は、無線または有線接続を介して音声および／またはデータを通信可能な、ポータブル、ポケット収納可能、手持ち、コンピュータに含まれる、または車載の、モバイルデバイスであってもよい。無線通信デバイス１１０は、中央処理装置（「ＣＰＵ」）、マイクロプロセッサ、ＡＳＩＣなどに埋め込まれ得る、および／または中央処理装置（「ＣＰＵ」）、マイクロプロセッサ、ＡＳＩＣなどによって制御／モニタリングされ得る、ならびにローカルアドホックネットワークまたはインターネットなどのネットワークへの接続用に設定され得る、モニタリング、制御、測定、記録などを実行するための機能性を有し得る。無線通信デバイス１１０は、クイックレスポンス（Ｑ）コード、無線周波数識別（「ＲＦＩＤ」）タグ、ＮＦＣタグなどのパッシブ通信インターフェース、またはモデム、送受信機、送信機−受信機などのアクティブ通信インターフェースを有し得る。
【００１３】
通信システム１００は、また、無線通信デバイス１１０間、または無線通信デバイス１１０と別の通信デバイス（地上回線電話）との間の通信をサポートするのに適した任意の追加要素とともに、ｅノードＢ、ｇＮＢ、または無線通信デバイス１１０と通信可能な他の基地局などの、１つまたは複数の無線アクセスノード（そのうちの１つが１２０と指定される）を含む。例示される無線通信デバイス１１０は、ハードウェアおよび／またはソフトウェアの任意の適当な組み合わせを含む通信デバイスを表し得るが、無線通信デバイス１１０は、特定の実施形態において、図２によってより詳細に示される例としての無線通信デバイス２００などのデバイスを表し得る。同様に、例示される無線アクセスノード１２０は、ハードウェアおよび／またはソフトウェアの任意の適当な組み合わせを含むネットワークノードを表し得るが、これらのノードは、特定の実施形態において、図３によってより詳細に示される例としての無線アクセスノード３００などのデバイスを表し得る。
【００１４】
図２に示されるように、例としての無線通信デバイス２００は、プロセッサ（または処理回路）２１０、メモリ２２０、送受信機２３０、およびアンテナ２４０を含む。特定の実施形態では、マシンタイプ通信（「ＭＴＣ」）およびマシンツーマシン（「Ｍ２Ｍ」）デバイス、ならびに／または任意の他の種類の無線通信デバイスによって提供されていると上述された機能性のうちのいくつかまたは全てが、図２に示されるメモリなどのコンピュータ可読媒体上に記憶される命令を実行するデバイスプロセッサによって提供され得る。無線通信デバイス２００の代替的な実施形態は、上述の機能性のうちのいずれか、および／または本明細書で説明された解決策をサポートするために必要な任意の機能性を含む、デバイスの機能性のある態様を提供することを担当し得る、図２に示されるもの以外の追加コンポーネントを含んでもよい。
【００１５】
図３に示されるように、例としての無線アクセスノード３００は、プロセッサ（または処理回路）３１０、メモリ３２０、送受信機３３０、ネットワークインターフェース３４０、およびアンテナ３５０を含む。特定の実施形態では、本明細書で説明される機能性のうちのいくつか、もしくは全てが、基地局、ノードＢ、拡張型ノードＢ、基地局コントローラ、無線ネットワークコントローラ、中継基地局によって提供されてもよく、および／または任意の他の種類のネットワークノードが、図３に示されるメモリなどのコンピュータ可読媒体上に記憶された命令を実行するノードプロセッサによって提供され得る。無線アクセスノード３００の代替的な実施形態は、上記で識別される機能性のいずれか、および／または本明細書で説明された解決策をサポートするために必要な任意の機能性を含む、追加機能性を提供することを担当する追加コンポーネントを含んでもよい。
【００１６】
１つまたは複数の処理デバイスを用いて実施され得るプロセッサは、アンテナ利得／位相パラメータのプリコーディング、通信メッセージを形成する個々のビットの符号化および復号、情報のフォーマット化、ならびにそれぞれの通信デバイスの全体制御を、限定ではなく含むその動作に関連する機能を実行する。通信リソースの管理に関連する例示的機能は、ハードウェアインストール、トラフィック管理、性能データ分析、設定管理、セキュリティ、課金などを、限定ではなく含む。プロセッサは、ローカルアプリケーション環境に適した任意の種類のものであってもよく、非限定的な例として、汎用コンピュータ、専用コンピュータ、マイクロプロセッサ、デジタル信号プロセッサ（「ＤＳＰ」）、フィールドプログラマブルゲートアレイ（「ＦＰＧＡ」）、特定用途向け集積回路（「ＡＳＩＣ」）、およびマルチコアプロセッサアーキテクチャに基づくプロセッサのうちの１つまたは複数を含んでもよい。
【００１７】
メモリは、１つまたは複数のメモリ、およびローカルアプリケーション環境に適した任意の種類のものであってもよく、半導体ベースのメモリデバイス、磁気メモリデバイスおよびシステム、光学メモリデバイスおよびシステム、固定メモリおよびリムーバブルメモリなどの、任意の適当な揮発性または不揮発性データ記憶技術を用いて実施されてもよい。メモリ内に記憶されたプログラムは、関連プロセッサによる実行時に、それぞれの通信デバイスがその意図するタスクを実行することを可能にする、プログラム命令またはコンピュータプログラムコードを含んでもよい。当然ながら、メモリは、メモリに対して、およびメモリから送信されるデータのためのデータバッファを形成してもよい。本明細書で説明されるシステム、サブシステム、およびモジュールの例示的実施形態は、少なくとも一部、プロセッサにより実行可能なコンピュータソフトウェアによって、またはハードウェアによって、またはそれらの組み合わせによって実施され得る。
【００１８】
送受信機は、それぞれの通信デバイスによってそれぞれのアンテナを介して別の通信デバイスに送信するために搬送波形上の情報を変調する。それぞれの送受信機は、他の通信デバイスによるさらなる処理のためにアンテナを介して受信される情報を復調する。送受信機は、それぞれの通信デバイスのために二重化動作をサポートすることが可能である。ネットワークインターフェースは、コアネットワークと通信する送受信機と類似の機能を実行する。
【００１９】
ここで図４を参照すると、通信システム４００の実施形態のシステムレベル図が示されている。通信システム４００は、基地局（「ｅＮＢ」と指定され、「ｅノードＢ」とも呼ばれる）、ホーム基地局（「ＨｅＮＢ」と指定される）、ホーム基地局ゲートウェイ（「ＨｅＮＢ  ＧＷ」と指定される）、Ｘ２ゲートウェイ（「Ｘ２  ＧＷ」と指定される）、およびモビリティ管理エンティティ（「ＭＭＥ」）／サービングゲートウェイ（「Ｓ−ＧＷ」）（「ＭＭＥ／Ｓ−ＧＷ」と指定される）の間の論理インターフェースを示す。３ＧＰＰは、ＬＴＥ概念のリリース１４の標準化に対して現在作業している。ＬＴＥシステムのアーキテクチャは、無線アクセスノード（ｅＮＢ、ＨｅＮＢ、ＨｅＮＢ  ＧＷ）およびエボルブドパケットコアノード（ＭＭＥ／Ｓ−ＧＷ）を含む参考文献に示されている。例示されるように、Ｓ１インターフェースは、ｅＮＢ／ＨｅＮＢをＭＭＥ／Ｓ−ＧＷに、およびＨｅＮＢをＨｅＮＢ  ＧＷに接続し、一方、Ｘ２インターフェースは、任意選択でＸ２  ＧＷを介して、ピアｅＮＢ／ＨｅＮＢを接続する。
【００２０】
ここで図５を参照すると、通信システム５００についての管理システムアーキテクチャの実施形態のブロック図が示される。基地局（ｅノードＢ）とも呼ばれるノード要素（「ＮＥ」と指定される）は、オペレーションおよびサポートシステム（「ＯＳＳ」）とも呼ばれるドメインマネージャ（「ＤＭ」と指定される）によって管理される。ドメインマネージャは、ネットワークマネージャ（「ＮＭ」と指定される）によってさらに管理され得る。２つのノード要素は、Ｘ２によってインターフェースされ、２つのドメインマネージャ間のインターフェースは、Ｉｔｆ−Ｐ２Ｐと呼ばれる。管理システムは、ネットワーク要素における特徴に関連する観測を受信するだけでなく、ネットワーク要素を設定し得る。例えば、ドメインマネージャは、ネットワーク要素を観測および設定し、一方、ネットワークマネージャは、ドメインマネージャを介してネットワーク要素を観測および設定し、ならびにドメインマネージャを観測および設定する。ドメインマネージャの設定を通して、ネットワークマネージャならびにＸ２およびＳ１インターフェース上で機能する関連インターフェースが、無線アクセスネットワーク全体を通して協調型の方式で実施されてもよく、最終的にＭＭＥおよびＳ−ＧＷを含むコアネットワークを伴う。
【００２１】
ここで図６を参照すると、通信システム６００の実施形態のシステムレベル図が示される。通信システム６００は、５Ｇ無線アクセスネットワーク（「ＲＡＮ」）アーキテクチャを表す。５ＧＲＡＮアーキテクチャは、また、Ｓ１、Ｘ２およびＵｕインターフェースの同等物を含むべきである。新たな無線アクセス技術（「ＲＡＴ」）は、ＬＴＥデュアルコネクティビティが規定されるのと類似の様式で、ＲＡＮレベルにおいてＬＴＥ無線インターフェースと統合されるべきである。本明細書で説明される原理全体が、ＬＴＥアーキテクチャに関わらず、かつＳ１インターフェースの進化に基づく新たなアーキテクチャに関わらず、またはＳ１と類似のアーキテクチャ原理に基づく異なるインターフェース上で動作する。
【００２２】
通信システム６００は、Ｘｎインターフェースによって接続された、新たな無線アクセスノード（「ｇＮＢ」と指定される）およびＬＴＥ無線アクセスノード（再び「ｅノードＢ」とも呼ばれる「ｅＬＴＥ  ｅＮＢ」と指定される）を有する無線アクセスネットワークを含む。通信システム６００は、また、次世代制御プレーン（「ＮＧ−ＣＰ」）／ユーザプレーンゲートウェイ（「ＵＰＧＷ」）（「ＮＧ−ＣＰ／ＵＰＧＷ」と指定される）を含む次世代コア（「ＮＧＣ」）を含む。５Ｇ通信システムをよりよく理解するために、「Ｗｉｒｅｌｅｓｓ  Ｔｅｃｈｎｏｌｏｇｙ  Ｅｖｏｌｕｔｉｏｎ  Ｔｏｗａｒｄｓ  ５Ｇ：  ３ＧＰＰ  Ｒｅｌｅａｓｅ  １３  ｔｏ  Ｒｅｌｅａｓｅ  １５  ａｎｄ  Ｂｅｙｏｎｄ」、５Ｇアメリカ発行、２０１７年２月を参照し、参照により本明細書に組み込まれる。
【００２３】
ここで図７を参照すると、ホストコンピュータに接続された通信ネットワーク（例えば、３ＧＰＰ型セルラネットワーク）７１０を含む通信システムの実施形態の概略ビューが示される。通信ネットワーク７１０は、無線アクセスネットワークなどのアクセスネットワーク７１１、およびコアネットワーク７１４を含む。アクセスネットワーク７１１は、ＮＢ、ｅＮＢ、ｇＮＢ、または他の種類の無線アクセスポイントなどの複数の基地局７１２ａ、７１２ｂ、７１２ｃを含み、それぞれが、対応するカバレッジエリア７１３ａ、７１３ｂ、７１３ｃを規定する。各基地局７１２ａ、７１２ｂ、７１２ｃは、有線または無線接続７１５を介してコアネットワーク７１４に接続可能である。カバレッジエリア７１３ｃ内に位置する第１のユーザ機器（「ＵＥ」）７９１は、対応する基地局７１２ｃに無線接続するように設定され、または対応する基地局７１２ｃによってページングされるように設定される。カバレッジエリア７１３ａ内の第２のユーザ機器７９２は、対応する基地局７１２ａに無線接続可能である。複数のユーザ機器７９１、７９２がこの例に示されているが、開示される実施形態は、唯一のユーザ機器がカバレッジエリア内にある状況、または唯一のユーザ機器が対応する基地局７１２に接続している状況に、同様に適用可能である。
【００２４】
通信ネットワーク７１０は、それ自体ホストコンピュータ７３０に接続され、ホストコンピュータ７３０は、スタンドアロンサーバ、クラウド実装サーバ、分散型サーバのハードウェアおよび／またはソフトウェア内に具現化されてもよく、またはサーバファーム内の処理リソースとして具現化されてもよい。ホストコンピュータ７３０は、サービスプロバイダの所有もしくは制御下にあってもよく、またはサービスプロバイダによって、もしくはサービスプロバイダの代理として運用されてもよい。通信ネットワーク７１０とホストコンピュータ７３０との間の接続７２１、７２２は、コアネットワーク７１４からホストコンピュータ７３０に直接延長されてもよく、または任意選択の中間ネットワーク７２０を通っていてもよい。中間ネットワーク７２０は、公共、私設、またはホストされたネットワークのうちの１つ、または１つ以上の組み合わせであってもよく、中間ネットワーク７２０は、もしあれば、バックボーンネットワークまたはインターネットであってもよく、特に中間ネットワーク７２０は、２つ以上のサブネットワーク（図示せず）を含んでもよい。
【００２５】
図７の通信システムは、全体として、接続されたユーザ機器７９１、７９２のうちの１つとホストコンピュータ７３０との間の接続性を可能にする。接続性は、オーバーザトップ（「ＯＴＴ」）接続７５０として説明されてもよい。ホストコンピュータ７３０および接続されたユーザ機器７９１、７９２は、アクセスネットワーク７１１、コアネットワーク７１４、任意の中間ネットワーク７２０、および仲介物として可能なさらなるインフラ（図示せず）を用いて、ＯＴＴ接続７５０を介してデータおよび／またはシグナリングを通信するように設定される。ＯＴＴ接続７５０は、ＯＴＴ接続７５０が通過する参加通信デバイスがアップリンクおよびダウンリンク通信のルーティングを意識しないという意味において、透過であり得る。例えば、基地局７１２は、ホストコンピュータ７３０から発して、接続されたユーザ機器７９１に転送される（例えば、ハンドオーバされる）データを伴う着信ダウンリンク通信の過去のルーティングについて通知されなくてもよく、または通知される必要がなくてもよい。同様に、基地局７１２は、ユーザ機器７９１からホストコンピュータ７３０に向かって発する発信アップリンク通信の将来のルーティングを意識する必要はない。
【００２６】
ここで図８を参照すると、通信システム８００の実施形態のブロック図が示される。通信システム８００において、ホストコンピュータ８１０は、通信システム８００の異なる通信デバイスのインターフェースとの有線または無線接続をセットアップし、維持するように設定される通信インターフェース８１６を含むハードウェア８１５を含む。ホストコンピュータ８１０は、記憶および／または処理ケイパビリティを有し得る処理回路（プロセッサ）８１８をさらに含む。特に、処理回路８１８は、１つまたは複数のプログラマブルプロセッサ、特定用途向け集積回路、フィールドプログラマブルゲートアレイ、または命令を実行するように適合されるこれらの組み合わせ（図示せず）を含んでもよい。ホストコンピュータ８１０は、ホストコンピュータ８１０に記憶され、またはホストコンピュータ８１０によってアクセス可能であり、かつ処理回路８１８によって実行可能な、ソフトウェア８１１をさらに含む。ソフトウェア８１１は、ホストアプリケーション８１２を含む。ホストアプリケーション８１２は、ユーザ機器８３０およびホストコンピュータ８１０において終端するＯＴＴ接続８５０を介して接続するユーザ機器（「ＵＥ」）８３０などのリモートユーザにサービスを提供するように動作可能であってもよい。サービスをリモートユーザに提供する際に、ホストアプリケーション８１２は、ＯＴＴ接続８５０を用いて送信されるユーザデータを提供してもよい。
【００２７】
通信システム８００は、通信システムにおいて提供され、基地局８２０がホストコンピュータ８１０およびユーザ機器８３０と通信することを可能にするハードウェア８２５を含む、基地局８２０をさらに含む。ハードウェア８２５は、通信システム８００の異なる通信デバイスのインターフェースとの有線または無線接続をセットアップおよび維持するための通信インターフェース８２６、ならびに基地局８２０によってサーブされるカバレッジエリア（図８に図示されない）内に位置するユーザ機器８３０との少なくとも無線接続８７０をセットアップおよび維持するための無線インターフェース８２７を含み得る。通信インターフェース８２６は、ホストコンピュータ８１０への接続８６０を容易にするように設定され得る。接続８６０は、直接であってもよく、または通信システムのコアネットワーク（図８に図示されない）、および／または通信システム外の１つもしくは複数の中間ネットワークを通過してもよい。図示される実施形態において、基地局８２０のハードウェア８２５は、処理回路（プロセッサ）８２８をさらに含み、処理回路（プロセッサ）８２８は、１つまたは複数のプログラマブルプロセッサ、特定用途向け集積回路、フィールドプログラマブルゲートアレイ、または命令を実行するように適合されるこれらの組み合わせ（図示せず）を含んでもよい。基地局８２０は、内部に記憶された、または外部接続を介してアクセス可能なソフトウェア８２１をさらに有する。
【００２８】
通信システム８００は、ユーザ機器８３０をさらに含む。ユーザ機器８３０は、ユーザ機器８３０が現在位置するカバレッジエリアにサーブする基地局８２０との無線接続８７０をセットアップおよび維持するように設定される無線インターフェース８３７を有するハードウェア８３５を含む。ユーザ機器８３０のハードウェア８３５は、処理回路（プロセッサ）８３８をさらに含み、処理回路（プロセッサ）８３８は、１つまたは複数のプログラマブルプロセッサ、特定用途向け集積回路、フィールドプログラマブルゲートアレイ、または命令を実行するように適合されるこれらの組み合わせ（図示せず）を含んでもよい。ユーザ機器８３０は、ユーザ機器８３０に記憶され、またはユーザ機器８３０によってアクセス可能であり、かつ処理回路８３８によって実行可能な、ソフトウェア８３１をさらに含む。ソフトウェア８３１は、クライアントアプリケーション８３２を含む。クライアントアプリケーション８３２は、ホストコンピュータ８１０のサポートでユーザ機器８３０を介して人間のユーザ、または人間ではないユーザにサービスを提供するように動作可能であり得る。ホストコンピュータ８１０において、実行中のホストアプリケーション８１２は、ユーザ機器８３０およびホストコンピュータ８１０において終端するＯＴＴ接続８５０を介して実行中のクライアントアプリケーション８３２と通信し得る。サービスをユーザに提供する際に、クライアントアプリケーション８３２は、ホストアプリケーション８１２から要求データを受信し、要求データに応答してユーザデータを提供してもよい。ＯＴＴ接続８５０は、要求データとユーザデータの両方を移送し得る。クライアントアプリケーション８３２は、ユーザと対話して、クライアントアプリケーション８３２が提供するユーザデータを生成し得る。
【００２９】
図８に示されるホストコンピュータ８１０、基地局８２０、およびユーザ機器８３０は、図７のホストコンピュータ７３０、基地局７１２ａ、７１２ｂ、７１２ｃのうちの１つ、およびユーザ機器７９１、７９２のうちの１つとそれぞれ同一であってよいことに留意されたい。すなわち、これらのエンティティの内部作業は、図８に示される通りであってもよく、独立して、周囲のネットワークトポロジーは、図７のものであってもよい。
【００３０】
図８において、ＯＴＴ接続８５０は、任意の仲介デバイスへの明示的な参照およびこれらのデバイスを介したメッセージの正確なルーティングなしに、基地局８２０を介したホストコンピュータ８１０とユーザ機器８３０との間の通信を示すように抽象的に描かれている。ネットワークインフラは、ルーティングを判断してもよく、ルーティングは、ユーザ機器８３０から、またはホストコンピュータ８１０を運用するサービスプロバイダから、またはその両方から隠すように設定され得る。ＯＴＴ接続８５０がアクティブである間、ネットワークインフラは、（例えば、ロードバランシングの考慮、またはネットワークの再設定に基づいて）ルーティングを動的に変更する決定をさらに行い得る。
【００３１】
測定手順は、１つまたは複数の実施形態が改善するデータレート、レイテンシ、および他の因子をモニタリングする目的で提供されてもよい。測定結果の変動に応答して、ホストコンピュータ８１０とユーザ機器８３０との間のＯＴＴ接続８５０を再設定するための任意選択のネットワーク機能性が、さらに存在してもよい。測定手順および／またはＯＴＴ接続８５０を再設定するためのネットワーク機能性は、ホストコンピュータ８１０のソフトウェア８１１、またはユーザ機器８３０のソフトウェア８３１、またはその両方において実施されてもよい。実施形態において、センサ（図示せず）は、ＯＴＴ接続８５０が通過する通信デバイスにおいて、または通信デバイスに関連して配備されてもよい。センサは、上記で例示したモニタリングされた数量の値を供給することによって、またはモニタリングされた数量をソフトウェア８１１、８３１が計算もしくは推定し得る他の物理的数量の値を供給することによって、測定手順に参加し得る。ＯＴＴ接続８５０の再設定は、メッセージフォーマット、再送信設定、好適なルーティングなどを含んでもよい。再設定は、基地局８２０に影響を及ぼさなくてもなく、再設定は、基地局８２０にとって未知でも知覚不可能であってもよい。そのような手順および機能性は、当技術分野において既知であってもよく、かつ実施されてもよい。ある実施形態において、測定は、ホストコンピュータ８１０のスループット、伝播時間、レイテンシなどの測定を容易にする独自のユーザ機器シグナリングを伴ってもよい。測定は、ソフトウェア８１１、８３１が、伝播時間、エラーなどをモニタリングしつつ、ＯＴＴ接続８５０を用いてメッセージ、特に、空のメッセージまたは「ダミー」メッセージを送信させることにおいて実施されてもよい。
【００３２】
ここで図９を参照すると、ネットワークスライシングを実施する通信システム９００の実施形態のシステムレベル図が示される。ネットワークスライシングは、ネットワークの論理的に分離されたパーティションを生成して、異なるビジネス目的に対処する。これらの「ネットワークスライス」は、ネットワークスライスがそれ自体のネットワークとして管理され得る程度まで論理的に分離される。ネットワークスライシングの概念は、ＬＴＥおよび新たな５Ｇ  ＲＡＴ（新無線（「ＮＲ」）とも呼ばれる）などの異なる無線アクセス技術（「ＲＡＴ」）に適用してもよい。ネットワークスライシングを導入するためのドライバは、例えば、異なるネットワーク特性（例えば、性能、セキュリティ、堅牢性、および複雑性）を有する接続性サービスを提供することによって他の産業にサーブするように、セルラオペレータの能力を改善するビジネス拡張である。
【００３３】
現在の作業仮定は、（ＲＡＮをインターフェースする１つまたは複数の共通制御ネットワーク機能（「ＣＣＮＦ」）に加えて、スライス固有であり得る追加のコアネットワーク機能を有する）複数のコアネットワークインスタンスに接続する、１つの共有ＲＡＮインフラが存在することである。コアネットワーク機能が仮想化されているとき、オペレータは、新たなスライスがサポートされるべきであるときに、新たなコアネットワークまたはその一部をインスタンス化し得る。このアーキテクチャが、図９に示されている。ネットワークスライスは、基地局（そのうちの１つが９２０と指定される）を含む無線アクセスネットワークをコアネットワークインスタンス９３０（ＭＭＥおよびＧＷを含む）まで横断するユーザ機器９１０によって採用可能なモバイルブロードバンドネットワークスライス（スライス０）であり得る。ネットワークスライスは、基地局（そのうちの１つが９２０と指定される）を含む無線アクセスネットワークをコアネットワークインスタンス９５０（ＭＭＥおよびＧＷを含む）まで横断するユーザ機器９４０によって採用可能なマシンタイプ通信ネットワークスライス（スライス１）であり得る。
【００３４】
スライシングに関して、ネットワークエンティティとＵＥとの間の適当なＲＡＮ設定を選択することと同様に、ＵＥからＲＡＮを介して特定のスライスに対処するコアネットワークまでメッセージをルーティングするための関連情報をどのようにスライスするかを判断することが重要である。追加的に、アクセス層（「ＡＳ」、例えば、ＲＲＣプロトコル）および非アクセス層（「ＮＡＳ」）において提供される情報は、異なり得る。
【００３５】
ネットワークスライシングのサポートは、異なるスライスのためのトラフィックが、異なるプロトコルデータユニット（「ＰＤＵ」）セッションによってハンドリングされるという原理に依拠している。ネットワークは、スケジューリングによって、および異なるＬ１／Ｌ２設定を提供することによっても、異なるネットワークスライスを実現し得る。ＵＥは、それがＮＡＳによって提供されている場合に、ＲＲＣメッセージにおいてネットワークスライス選択のための支援情報を提供することが可能であるべきである。最終的には、ＣＮが、あるネットワークスライスにアクセスするＵＥの権利を検証し、初期コンテキストセットアップ段階において結果をＲＡＮに通信する。異なるスライスのために異なる物理ランダムアクセスチャネル（「ＰＲＡＣＨ」）、アクセス規制および混雑制御情報を提供することが可能である。
【００３６】
しかしながら、この段階の前に、ＲＡＮレベルにおいてネットワークスライスを意識することの重要性に対して他の考察が行われる。ＲＡＮは、事前設定されている異なるネットワークスライスのために差別化されたトラフィックのハンドリングをサポートするべきである。ＲＡＮがＲＡＮ機能（すなわち、各ネットワークスライスを管理するネットワーク機能のセット）の点からスライス有効化をサポートするやり方は、実施態様に依存している。ＲＡＮは、公衆地上移動体ネットワーク（「ＰＬＭＮ」）において事前設定されたネットワークスライスのうちの１つまたは複数を識別する、ＵＥまたはＣＮによって提供される１つまたは複数のスライス識別子（「ＩＤ」）によって、ネットワークスライスのＲＡＮ部分の選択をサポートするべきである。受領されたネットワークスライス選択支援情報（「ＮＳＳＡＩ」）が、ネットワークスライス選択の後、ＣＮによってＵＥおよびＲＡＮに送信される。ＲＡＮは、サービスレベルアグリーメントの通りに、スライス間のポリシー施行をサポートすべきである。単一のＲＡＮノードが複数のスライスをサポートすることが可能であるべきである。ＲＡＮは、サービスレベルアグリーメントのための適当な無線リソース管理（「ＲＲＭ」）ポリシーを、それぞれのサポートされるネットワークスライスに自由に適用するべきである。ＲＡＮは、ネットワークスライス内のサービス品質（「ＱｏＳ」）差別化をサポートすることとなる。
【００３７】
最初のアタッチの場合、ＵＥは、１つまたは複数のネットワークスライスＩＤを提供し得る。利用可能であれば、ＲＡＮは、最初の非アクセス層（「ＮＡＳ」）を次世代コア制御プレーン（「ＮＧＣ  ＣＰ」）機能へルーティングするためにネットワークスライスＩＤを使用する。ＵＥがいかなるネットワークスライスＩＤも提供しない場合、ＲＡＮは、ＮＡＳシグナリングをデフォルトのＮＧＣ  ＣＰ機能に送信する。後続のアクセスの場合、ＵＥは、一時（「Ｔｅｍｐ」）ＩＤを提供し、ＴｅｍｐＩＤは、ＮＧＣによってＵＥに割り当てられ、ＴｅｍｐＩＤが有効である限り、ＲＡＮがＮＡＳメッセージを適当なＮＧＣ  ＣＰ機能へルーティングすることを可能にする（ＲＡＮは、ＴｅｍｐＩＤに関連付けられるＮＧＣ  ＣＰ機能を意識し、ＮＧＣ  ＣＰ機能に到達し得る）。そうでない場合は、最初のアタッチのための方法が適用する。
【００３８】
ＲＡＮは、ネットワークスライス間のリソース隔離をサポートし得る。１つのネットワークスライスが別のネットワークスライスのためのサービスレベルアグリーメントを破る場合に、ＲＡＮリソース隔離が、共有リソースのいかなる不足も回避するべきであるＲＲＭポリシーおよび保護機構を用いて達成され得る。あるネットワークスライスにＲＡＮリソースを完全に指定することが可能である。いくつかのネットワークスライスは、ネットワークの一部のみにおいて利用可能であってもよい。その隣接無線アクセスノード（ｇＮＢ）のセル内においてサポートされるネットワークスライスの無線アクセスノード（ｇＮＢ）における意識は、接続済みモードにおける周波数間モビリティに有益であり得る。ＲＡＮおよびＣＮは、ネットワークスライスのためのサービス要求をハンドリングすることを担当する。ネットワークスライスに対するアクセスの許可または拒絶は、ネットワークスライスについてのサポート、リソースの利用可能性、他のネットワークスライスによる要求されたサービスについてのサポートなどの要因に依存し得る。隣接無線アクセスノードは、２つのノードを接続するインターフェース（例えば、ｇＮＢ間のＸｎインターフェース）上のネットワークスライス利用可能性を交換し得る。ＣＮは、ＵＥのためのネットワークスライスをサポートするノードを含むモビリティ制限リストをＲＡＮに提供し得る。ソース無線アクセスノードにおいてサポートされるネットワークスライスは、可能であれば、ターゲット無線アクセスノードにおいて他のネットワークスライスにマッピングされてもよい。
【００３９】
ネットワークスライスが、ネットワークを通して利用可能でないとき、ネットワークスライスに対応するようにターゲット無線アクセスノードを再マッピングすることが可能である。ＲＡＮとＣＮとの間にシグナリングのやり取りがあり、性能が影響を受けないとき、ネットワークスライスは、ＣＮによる接続ハンドリングおよびモビリティシグナリング中に再マッピングされ得る。再マッピングは、接続セットアップ中にＣＮとの事前交渉に続くアクションとしてＲＡＮによって、および／またはＣＮが実用的な解決策でないことを伴うとき、かつ事前交渉が行われなかった場合に、ＲＡＮによって自律的に実行され得る。
【００４０】
例えば、ＮＧ−Ｃ上の初期コンテキストセットアップ中に、ＣＮは、ＲＡＮに１つまたは複数のネットワークスライスＩＤを与え得る。ネットワークスライスＩＤは、ＵＥが接続することが可能なネットワークスライスを一意に表す。これらのネットワークスライスＩＤは、ＲＲＣ接続確立中にＲＡＮに対してＵＥにより通信されるものとは異なってもよく、再マッピングがＣＮにおいて行われたことを示している。代替的には、そのようなネットワークスライスが、いかなる理由でも利用可能でないときに、ＣＮは、特定のネットワークスライスの置換として使用されることが可能ないくつかのネットワークスライスをＲＡＮに提供し得る。ＲＡＮは、次いで、任意の後続のシグナリング中、例えば、ＲＡＮ内部ハンドオーバ、デュアルコネクティビティ中に、および／またはＲＡＮにおける内部無線リソース管理関連の理由に起因して必要とされるときに、ＵＥ接続をそのような代替ネットワークスライスに再マッピングし得る。これは、ＣＮシグナリングを伴わない再マッピング手順を容易にすることとなる。
【００４１】
当然ながら、代替的ネットワークスライスがＲＡＮに利用不可能であることが考えられ、その場合に、ＲＡＮは、提供されたネットワークスライスをデフォルトネットワークスライスに自律的に再マッピングし得る。そのような自律的再マッピングが可能とされる場合に、ＣＮがＲＡＮに示すことが望ましく、そうでない場合、ＲＡＮは、利用不可能なネットワークスライスに対応するＰＤＵセッションを拒絶し得る。
【００４２】
ＲＡＮは、ＮＡＳノード選択機能（「ＮＮＳＦ」）または類似の機能を用いて正しいコアネットワークインスタンスを選択するべきであるが、それは、ＲＲＣ接続確立中にＵＥからスライス関連支援を受信するための単なる動機づけではない。ＲＡＮは、既にＲＲＣ接続確立において、いくつかの許可基準に従ってリソースを割り当て、動作し得る。完全なＵＥコンテキストおよびベアラが、初期コンテキストセットアップ手順を用いて後で確立されるまで、ＲＲＣコンテキストが生成されるべきであり、メモリおよび処理リソースの割り当てを意味する。ＵＥがアクセスを試みているネットワークスライスについて、ＲＡＮがより多くを知っているほど、ＲＡＮは、そのネットワークスライシング設定に従ってそのポリシーを適合させ得る。よって、ＵＥがアクセスを試みているネットワークスライスを意識することは、正しいコアネットワークインスタンスを選択するためには全く必要とされないが、初期コンテキストセットアップ手順の前に、ＲＡＮにおいて仮のネットワークスライシングポリシーを有効にすることは有益である。
【００４３】
実施形態において、ＲＡＮは、初期コンテキストセットアップ手順の前に、仮の早期ポリシーを有効にするために、ＵＥからネットワークスライス関連情報を受信する。ＵＥがどのネットワークスライスに関心があるかを、ＲＡＮが可能な限り早く知ることが重要であるが、アクセス層ＲＲＣシグナリング、特に早期接続確立メッセージ（例えば、ＲＲＣ接続要求メッセージ、図１２におけるメッセージ３）によって提示される制約が存在し得る。無線性能およびシグナリング堅牢性が、危険にさらされるべきではない。
【００４４】
単一ネットワークスライス選択支援情報（ネットワークスライスを識別する「Ｓ−ＮＳＳＡＩ」）は、最大３２ビット長であってもよく、ＮＳＳＡＩ（識別子の集合）が、３２ビット×特定ＵＥについての関係するネットワークスライスの数となることを意味する。ＵＥは、公衆地上移動体ネットワーク（「ＰＬＭＮ」）毎に設定および／または受領されたＮＳＳＡＩを記憶してもよく、ＮＳＳＡＩは、標準値またはＰＬＭＮ固有値を含み得る。
【００４５】
関連のあるＲＲＣメッセージにおける（例えば、ＬＴＥネットワークについての）サイズ制約が考慮される場合、メッセージ３のサイズは制限され、メッセージは、単に必要な情報を含むことによって（ＬＴＥにおいて）最大限であり得る。堅牢性、カバレッジ、および遅延の考慮は、メッセージ３が無限に拡大することができない、すなわち、早期接続確立が、より短いメッセージを採用することが好ましい段階となるということを示している。メッセージ５は、サイズにおける制約がはるかに少ないが、それは、メッセージ３についてと同様の効率性考慮が重要ではなく、無視されるべきであることを必ずしも意味しない。したがって、制限されたネットワークスライシング関連情報が、メッセージ３において（すなわち、ＮＳＳＡＩ、および完全Ｓ−ＮＳＳＡＩのいずれでもなく）搬送され得ることが、有利であり得る。より少ない制約が、メッセージ５について存在するが、ＲＲＣシグナリングは、やはりメッセージ５について効率的な方法で設計されるべきであることも考えられる。
【００４６】
よって、可能な限り早期にネットワークスライス情報を伝達することと、無線態様を考慮して堅牢かつ十分に実行する方法でＲＲＣプロトコルを設計する必要性との間に、トレードオフが存在する。さらに、ネットワークスライスが、本質的にビジネス主導の概念であるとすると、何個のネットワークスライスがネットワークにおいて配備され得るかを予測するのは容易ではなく、よって、システムの仕様が不必要に強固になるべきではないことに、留意すべきである。また、ＵＥがネットワークへのアタッチを実行している（すなわち、ＵＥは、以前はネットワークに知られていない）場合は、ＵＥが、サービス要求を実行している（すなわち、ＵＥは、既にネットワークに登録され、知られている）場合とは区別されるべきである。
【００４７】
非アクセス層ノード選択機能（「ＮＮＳＦ」）を支援するために情報が必要とされないとき、コアネットワークインスタンス選択が、アタッチ時に、ネットワークスライスを明示的に表すのではなくおそらくはネットワークスライシングに依存する基準に従って設定される、接続を確立することの「重要性」を示す（原因値と同種である）、（短い）デフォルトの、または事前設定済みアクセスカテゴリを含むメッセージ３を含む。ＵＥが既にアタッチされている場合、メッセージ３は、原因値（すなわち、ショートＩＥ）にも類似するが、コアネットワークによってＮＡＳ上で｛ネットワークスライス、原因値、ＱｏＳ｝などの機能として設定される汎用アクセスカテゴリを示す、新たな情報要素（「ＩＥ」）によって拡張される。使用するアクセスカテゴリは、ネットワークスライス、サービス、および／またはＵＥがアクセスしている公衆地上移動体ネットワーク（「ＰＬＭＮ」）、ならびに専用シグナリング（例えば、ＲＲＣまたはＮＡＳ）を用いてネットワーク（ＲＡＮおよびＣＮ）によりＵＥにおいて設定されるマッピングルールに基づくこととなる。この手順が、エアインターフェースを介してネットワークスライス識別子のような潜在的に影響を受けやすい情報を送信することを回避し得ることに留意されるべきである。
【００４８】
別の実施形態では、ネットワークスライシング考慮（および他の要因）から引き出される情報を使用して、ネットワークスライス識別子を明示的に記述しないことが、アクセス制御の領域において採用され得る。メッセージ５に関するさらなる別の実施形態において、正しいＣＮインスタンスへのルーティングを可能にするために、十分な情報が必要とされる。アタッチにおいて、メッセージ５は、初期Ｓ−ＮＳＳＡＩの「スライスタイプ」部分、または実現可能であれば１つの完全なＳ−ＮＳＳＡＩのいずれかを含み得る。実現可能性は、上述したようなセキュリティ問題にも依存するが、いずれにせよ、ＮＳＳＡＩ全体が必要でなくてもよい。ＵＥが既にアタッチされている場合、モビリティ管理エンティティコード（「ＭＭＥＣ」）（の均等物）が、基地局（ｇＮＢ）において一意のままである場合、メッセージ３の中のシステムアーキテクチャエボリューション（「ＳＡＥ」）一時移動加入者識別（「Ｓ−ＴＭＳＩ」、一時ＮＡＳレイヤＵＥ識別子）は、十分であるべきであることに留意され得る。
【００４９】
上記シグナリングに続いて、ＣＮは、初期コンテキストセットアップ手順（および後続のシグナリング）の間、ＰＤＵセッション毎に関連のある（および検証済み／受領済み）Ｓ−ＮＳＳＡＩ／ＮＳＳＡＩを示し、ＲＡＮは、そのような情報に基づいて（仮ではない）ネットワークスライシングポリシーを実行することが可能であると仮定される。よって、メッセージ３は、ＵＥが既にネットワークにアタッチされているか否かに応じて、デフォルトの／事前設定済みアクセスカテゴリ（ネットワークスライス依存）、および／またはＣＮ提供アクセスカテゴリ（例えば、ＮＡＳ提供アクセスカテゴリ、ネットワークスライス依存でもある）を含み得る。この情報は、ＲＡＮが仮のポリシーを適用することを可能にすべきである。メッセージ５は、セキュリティの観点から実現可能であれば、完全なＳ−ＮＳＳＡＩ（または等価な識別子）を含み得るが、典型的には、ＵＥが既にネットワークにアタッチされているか否かに応じて、ＮＳＳＡＩ全体ではない。識別子の許容できる長さは、メッセージ５の制約の範囲内で適応すべきである。この識別子は、ＲＡＮがＣＮインスタンスを選択することを可能にするべきである。ＵＥが既にネットワークにアタッチされているとき、ＭＭＥＣがｇＮＢにおいて一意なままであると仮定して、Ｓ−ＴＭＳＩが、正しいＣＮインスタンスへのルーティングを実行するために使用される。
【００５０】
さらなる別の実施形態では、ＵＥの加入が、複数のネットワークスライスが同時にアクセスされることを可能にするときのシナリオに関連する。ＵＥとアクセスおよびモビリティ機能（「ＡＭＦ」、例えば、登録手順）間のＮＡＳシグナリング中に、ＡＭＦ（またはスライス選択機能（「ＳＳＦ」））が、Ｓ−ＮＳＳＡＩが「スタンドアロン」であり、例えば、登録受理において、例えば、別々のＮＳＳＡＩリスト内またはＵＥへのいくつかの追加マーキングを有する１つのＮＳＳＡＩリスト内で一緒にアクセスされ得る情報をＵＥに提供する。ＵＥは、情報を使用してどのＳ−ＮＳＳＡＩをＲＡＮ／アクセスノード（「ＡＮ」）に提供するべきであるかを知り、ならびに個々のネットワーク接続がいつ要求されるかを理解する（例えば、Ｓ−ＮＳＳＡＩのこれらのグループは、同じ登録／ＡＭＦを用いて使用され得ないため、ＵＥは、Ｓ−ＮＳＳＡＩの別のグループを使用して登録解除および再登録する必要があってもよい）。さらなる別の実施形態では、５ＧＣ  ＡＭＦは、各ＮＳＳＡＩリストにおいて、ルーティングに使用されるＳ−ＮＳＳＡＩにマークを付ける（例えば、ＮＳＳＡＩリスト内の最初、または他のポインタ）。ＵＥは、ＲＲＣメッセージ５においてそのＳ−ＮＳＳＡＩを使用する。
【００５１】
よって、接続再開の場合（概して、ＵＥがＲＲＣ接続を再確立しようとしているときはいつでも）、ＵＥは、アクセス試行の重要性に関する標識を可能な限り早期に提供すべきであり、そのような標識は、スライスを意識してもよく、ＵＥが登録されているかどうか、およびＣＮが適切なアクセスカテゴリを伝達する機会を有するかどうかに依存する。他方、ＮＳＳＡＩは識別子の集合であるが、ＲＡＮは、ＰＤＵセッション（Ｓ−ＮＳＳＡＩ）毎に単一ネットワークスライスを識別するため、ＲＲＣまたは内部ＲＡＮシグナリングのいずれにおいてでもなく、ＲＡＮシグナリングにおいて完全なＮＳＳＡＩを伝達する必要がほとんどないことが明らかである。
【００５２】
無線インターフェースに関していうと、異なる情報（ネットワークスライシング情報に基づいて設定され得る）が、サイズ制約、ＵＥがネットワークに登録されているか否か、および他の考慮に応じてＲＲＣシグナリングにおいて指定されるべきである。そのような情報は、（特に、長さが実際に３２ビット×スライスの数のオーダとなる場合）ＮＳＳＡＩにおいて具現化されなくてもよい。また、スライス識別子（「ＩＤ」、単一のネットワークスライスを指す識別子）に対応する概念が、Ｓ−ＮＳＳＡＩであってもよく、ＲＡＮがＵＥからＳ−ＮＳＳＡＩを受信する場合、ＲＡＮは、適切なＣＮインスタンスにシグナリングをルーティングすることが可能であるべきである。
【００５３】
ここで図１０から図１２を参照すると、通信システムを動作させる実施形態のシグナリング図が示される。図１０は、ユーザ機器（「ＵＥ」と指定される）、無線アクセスネットワーク（「ＲＡＮ」と指定される）、ならびにアクセスおよびモビリティ機能（「ＡＭＦ」と指定され、コアネットワークの一部である）の間のシグナリングを示す。図１１は、ユーザ機器（「ＵＥ」と指定される）、基地局などの無線アクセスノード（「ｅＮＢ」と指定される）、ならびにＬＴＥ接続セットアップ手順のためのモビリティ管理エンティティ（「ＭＭＥ」）およびサービングゲートウェイ（「ＳＧＷ」と指定される）を含むコアネットワークの間のシグナリングを示す。図１２は、ユーザ機器（「ＵＥ」と指定される）、基地局などの無線アクセスノード（「ｇＮＢ」と指定される）、ならびに新無線（「ＮＲ」）接続セットアップ手順のためのアクセスおよびモビリティ機能（「ＡＭＦ」と指定される、コアネットワークの一部）の間のシグナリングを示す。
【００５４】
図１０で開始すると、ＡＭＦは、Ｎ２セットアップメッセージ１００５をＲＡＮに提供し、ＡＭＦがサポートするＳ−ＮＳＳＡＩ、およびルーティングに使用されるＳ−ＮＳＳＡＩを提供する。ＵＥは、登録要求および標準要求されるＮＳＳＡＩを含むＲＲＣメッセージ１０１０をＲＡＮに提供する。ＲＡＮは、次いで、ＮＳＳＡＩまたはデフォルトＮＳＳＡＩ（ＮＳＳＡＩがない場合のＰＬＭＮについて）に基づいて、ＡＭＦを選択１０１５する。ＲＡＮは、Ｎ２メッセージ１０２０をＡＭＦに提供する。ＡＭＦは、セキュリティ、加入チェック、および再ルーティング（必要であれば）を含む登録手順１０２５に進み、許容できるＮＳＳＡＩ（Ｓ−ＮＳＳＡＩのリスト）を割り当てる。Ｓ−ＮＳＳＡＩのリストは、どのＳ−ＮＳＳＡＩがルーティングに使用されるか、およびどのＳ−ＮＳＳＡＩが一緒にグループ化されるかでマークされる。
【００５５】
ＡＭＦは、Ｎ２メッセージ（ＮＡＳメッセージ）１０３０をＲＡＮに提供し、ＲＡＮは、ＲＲＣメッセージ（ＮＡＳメッセージ）１０３５をＵＥに提供する。この時点で、ＵＥは、アイドル１０４０になる。ＵＥは、登録要求およびＳ−ＮＳＳＡＩを含むＲＲＣメッセージ１０４５をＲＡＮに提供する。ＲＡＮは、次いで、Ｓ−ＮＳＳＡＩに基づいてＡＭＦを選択１０５０する。スライス手順１０５５は、Ｓ−ＮＳＳＡＩを用いてＰＤＵセッション固有手順を介して行われ、Ｓ−ＮＳＳＡＩは、ネットワークスライスにマッピングし得る。
【００５６】
ここで図１１を参照すると、ＵＥは、ランダムアクセスチャネル（「ＲＡＣＨ」）プリアンブルおよびその識別を含むランダムアクセスメッセージ（ＲＡ  ｍｓｇ１）１１０４をｅＮＢに提供する。ｅＮＢは、ＵＥのためのアップリンクリソースグラントを含むランダムアクセス応答（ＲＡ  ｍｓｇ２）１１０８をＵＥに提供する。ＵＥは、接続確立原因およびその識別を含むＲＲＣ接続要求（ＲＡ  ｍｓｇ３）１１１２をｅＮＢに提供する。ｅＮＢは、接続確立原因に基づいて無線ベアラを含むＲＲＣ接続セットアップメッセージ（ＲＡ  ｍｓｇ４）１１１６をＵＥに提供する。ＵＥは、ＮＡＳサービス要求を含むＲＲＣ接続セットアップ完了メッセージ（ＲＡ  ｍｓｇ５）１１２０をｅＮＢに提供する。
【００５７】
ｅＮＢは、ＮＡＳサービス要求を含むＳ１アクセスポイント（「ＡＰ」）初期ＵＥメッセージ１１２４をＭＭＥに提供し、ＭＭＥはそれに対してＳ１−ＡＰ初期Ｃｔｘｔセットアップメッセージ１１２８で応答する。ｅＮＢは、ＲＲＣセキュリティモードコマンド１１３２をＵＥに提供し、ＵＥはそれに対してＲＲＣセキュリティモード完了メッセージ１１３６で応答する。ｅＮＢは、ＲＲＣ接続再設定メッセージ１１４０をＵＥに提供し、ＵＥはそれに対してＲＲＣ接続再設定完了メッセージ１１４４で応答する。その後、ｅＮＢは、Ｓ１−ＡＰ初期Ｃｔｘｔセットアップ完了メッセージ１１４８をＭＭＥに提供する。
【００５８】
ＭＭＥは、修正ベアラ要求１１５２をＳＧＷに提供することによって応答し、ＳＧＷはそれに対して修正ベアラ応答１１５６を提供することによって返信する。次いで、ＵＥは、アップリンク（「ＵＬ」）データ１１６０をｅＮＢに送信し、ｅＮＢは、ＵＬデータ１１６４をＳＧＷに転送する。ＳＧＷは、ダウンリンク（「ＤＬ」）データ１１６８をｅＮＢに送信し、ｅＮＢは、ＤＬデータ１１７２をＵＥに転送する。
【００５９】
時間が経過した後、ｅＮＢは、Ｓ１−ＡＰ  ＵＥ  Ｃｔｘｔ解放要求１１７６をＭＭＥに提供する。ＭＭＥは、解放アクセスベアラ要求１１８０をＳＧＷに提供することによって応答し、ＳＧＷはそれに対して解放アクセスベアラ応答１１８４を提供することによって返信する。ＭＭＥは、Ｓ１−ＡＰ  ＵＥ  Ｃｔｘｔ解放コマンド１１８８をｅＮＢに提供し、ｅＮＢは、ＲＲＣ接続解放メッセージ１１９２をＵＥに提供する。ｅＮＢは、Ｓ１−ＡＰ  ＵＥ  Ｃｔｘｔ解放完了コマンド１１９６をＭＭＥに提供する。
【００６０】
ここで図１２を参照すると、ＲＲＣ＿ｉｎａｃｔｉｖｅまたはＲＲＣ＿ｉｄｌｅモードのＵＥは、ランダムアクセスチャネル（「ＲＡＣＨ」）プリアンブルおよびその識別を含むランダムアクセスメッセージ（ＲＡ  ｍｓｇ１）１２０５をｇＮＢに提供する。ｇＮＢは、ＵＥのためのアップリンクリソースグラントを含むランダムアクセス応答（ＲＡ  ｍｓｇ２）１２１０をＵＥに提供する。ＵＥは、接続確立原因およびその識別を含むＲＲＣ接続要求（ｍｓｇ３）１２１５をｇＮＢに提供する。ｇＮＢは、接続確立原因に基づいて無線ベアラを含むＲＲＣ接続セットアップメッセージ（ｍｓｇ４）１２２０をＵＥに提供する。ＵＥは、ここで、ＲＲＣ＿ｃｏｎｎｅｃｔｅｄモードであり、ＲＲＣ接続セットアップ完了メッセージ（ｍｓｇ５）１２２５をｇＮＢに提供する。
【００６１】
ｇＮＢは、初期ＵＥメッセージ１２３０をＡＭＦに提供し、ＡＭＦは、ＵＥコンテキストセットアップメッセージ１２３５で応答する。ｇＮＢおよびＵＥは、初期セキュリティアクティベーションメッセージ１２４０を交換する。ｇＮＢは、ＲＲＣ接続再設定メッセージ１２４５をＵＥ（ＤＲＢを確立中）に提供し、ＵＥはＲＲＣ接続再設定完了メッセージ１２５０で応答する。
【００６２】
ここで図１３を参照すると、通信システムを動作させる方法１３００の実施形態のフロー図が示される。方法１３００は、ネットワークスライシングを採用する図１および図９の通信システム（１００、９００）におけるユーザ機器（１１０、２００、９１０、９２０）などのユーザ機器上で動作可能である。方法は、開始ステップまたはモジュール１３１０において開始する。ステップまたはモジュール１３２０において、ユーザ機器は、通信システムとのランダムアクセス手順を開始するために、初期アクセスメッセージ（ｍｓｇ１）を送信する。ユーザ機器は、ステップまたはモジュール１３３０において、通信システムとの通信の優先度を示し、ネットワークスライス（スライス０、スライス１）に依存する基準に基づく事前設定済みアクセスカテゴリを選択する。
【００６３】
例として、通信システムは、多数のアクセスカテゴリ（例えば、２５６個）をサポートしてもよい。アクセスカテゴリは、インデックス（例えば、８ビット）に関連付けられてもよい。ユーザ機器は、あるネットワークスライスをあるアクセスカテゴリにマッピングするように設定されてもよく、または、ユーザ機器は、アクセスカテゴリに基づいてネットワークスライスを（例えば、アクセスカテゴリＸに基づいてスライス０を）選択するように事前設定されてもよい。例えば、モビリティブロードバンドネットワークスライス（スライス０）は、マシンタイプ通信ネットワークスライス（スライス１）とは異なるアクセスカテゴリを使用してもよい。
【００６４】
前述のことに従って、ユーザ機器は、ステップまたはモジュール１３４０において事前設定済みアクセスカテゴリに基づいてバーリングチェックを実行する。バーリングチェックは、以下に基づき得る。通信システムは、異なるアクセスカテゴリに関連付けられる、あるアクセスパラメータ（例えば、待機時間、規制確率）をブロードキャストする。アクセスを行うとき、ユーザ機器は、例えば、データまたはシグナリングがどのスライスに関連付けられているかに従って、アクセスカテゴリをチェックする。次いで、ユーザ機器は、このアクセスカテゴリについてブロードキャストされたアクセスパラメータが存在するかどうかをチェックする。存在する場合、ユーザ機器は、ランダム浮動数（例えば、０から１の間）を引き出す。数が規制確率より低い場合、ユーザ機器は、再試行する前に待機時間待機する。ランダム数が規制確率よりも高い場合、ユーザ機器は、即時アクセスを実行する。
【００６５】
ステップまたはモジュール１３５０において、ユーザ機器は、通信システムとのランダムアクセス手順に従って（例えば、ランダムアクセス手順と併せて、ランダムアクセス手順中に、および／またはランダムアクセス手順に続いて）事前設定済みアクセスカテゴリを含むアクセスメッセージ（ｍｓｇ３）を送信する。ユーザ機器が通信システムにアタッチされるときに、アクセスメッセージ（ｍｓｇ３）は、ネットワークスライス（スライス０、スライス１）との通信のための汎用アクセスカテゴリを示す情報要素を含んでもよい。ユーザ機器が通信システムにアタッチされるときに、アクセスメッセージ（ｍｓｇ３）は、好適なネットワークスライス、原因値、および所望のサービス品質のうちの少なくとも１つを示し得る。ステップまたはモジュール１３６０において、ユーザ機器は、ユーザ機器が通信システムにアタッチされているかどうかに応じて、および接続セットアップメッセージに応答して、単一ネットワークスライス選択支援情報（「Ｓ−ＮＳＳＡＩ」）を含む別のアクセスメッセージ（ｍｓｇ５）を送信する。その後、ユーザ機器は、上述のような（例えば、図１０から図１２、および関連する説明を参照）コアネットワークに関与する。方法は、終了ステップまたはモジュール１３７０において終了する。
【００６６】
ここで図１４を参照すると、通信システムを動作させる方法１４００の実施形態のフロー図が示される。方法は、ネットワークスライシングを採用する図１および図９の通信システム（１００、９００）における基地局（１２０、３００、９２０）などの基地局を用いて動作可能である。方法は、開始ステップまたはモジュール１４１０において開始する。ステップまたはモジュール１４２０において、基地局は、通信システムにおけるユーザ機器（図１および図９のユーザ機器１１０、２００、９１０、９２０）とのランダムアクセス手順を開始するために、初期アクセスメッセージ（ｍｓｇ１）を受信する。基地局は、ステップまたはモジュール１４３０において、応答メッセージ（ｍｓｇ２）をユーザ機器に送信する。
【００６７】
ステップまたはモジュール１４４０において、基地局は、通信システムにおけるユーザ機器とのランダムアクセス手順に従って（例えば、ランダムアクセス手順と併せて、ランダムアクセス手順中に、および／またはランダムアクセス手順に続いて）アクセスメッセージ（ｍｓｇ３）を受信する。アクセスメッセージ（ｍｓｇ３）は、通信システムとの通信の優先度を示し、ネットワークスライス（スライス０、スライス１）に依存する基準に基づく事前設定済みアクセスカテゴリを含む。ユーザ機器が通信システムにアタッチされるときに、アクセスメッセージ（ｍｓｇ３）は、ネットワークスライス（スライス０、スライス１）との通信のための汎用アクセスカテゴリを示す情報要素を含んでもよい。ユーザ機器が通信システムにアタッチされるときに、アクセスメッセージ（ｍｓｇ３）は、好適なネットワークスライス、原因値、および所望のサービス品質のうちの少なくとも１つを示し得る。
【００６８】
それに応答して、基地局は、ステップまたはモジュール１４５０において、事前設定済みアクセスカテゴリおよびネットワークスライス（スライス０、スライス１）に従ってユーザ機器との接続を確立するために、セットアップメッセージ（ｍｓｇ４）を送信する。接続は、ユーザ機器との通信の優先度を考慮する。セットアップメッセージ（ｍｓｇ４）は、（混雑に基づくといった）通信システムへのアクセス権を有する事前設定済みアクセスカテゴリの機能である。ステップまたはモジュール１４６０において、基地局は、ユーザ機器が通信システムにアタッチされているかどうかに応じて、単一ネットワークスライス選択支援情報（「Ｓ−ＮＳＳＡＩ」）を含む別のアクセスメッセージ（ｍｓｇ５）を受信する。
【００６９】
基地局は、ステップまたはモジュール１４７０において、ユーザ機器をコアネットワークインスタンスにルーティングするために、コアネットワークインスタンス（図９のコアネットワークインスタンス９３０、９５０など）にサービス要求メッセージ（初期ＵＥメッセージ）を送信する。ユーザ機器が通信システムにアタッチされるときに、サービス要求メッセージ（初期ＵＥメッセージ）は、ユーザ機器のシステムアーキテクチャエボリューション一時移動加入者識別（「Ｓ−ＴＭＳＩ」）を含んでもよい。サービス要求メッセージ（初期ＵＥメッセージ）は、非アクセス層（「ＮＡＳ」）サービス要求であってもよい。その後、ユーザ基地局は、上述のような（例えば、図１０から図１２、および関連する説明を参照）コアネットワークおよびユーザ機器に関与する。方法は、終了ステップまたはモジュール１４８０において終了する。
【００７０】
このように、本明細書で説明されるシステムは、他のネットワーク機能、例えば、選択機能、設定機能などを可能にするのと同様に、ネットワーク内のＵＥの好適な初期の優先扱いを可能にする。これは、将来の拡大（例えば、新たなスライスおよびサービスを追加する可能性）のために、最小オーバヘッドおよび高い柔軟性で行われる。
【００７１】
上述のように、例示的な実施形態は、方法、および方法のステップを実行するための機能性を提供する様々なモジュールからなる対応する装置の両方を提供する。モジュールは、（特定用途向け集積回路などの集積回路を含む１つまたは複数のチップにおいて具現化される）ハードウェアとして実施されてもよく、またはプロセッサによる実行のためのソフトウェアもしくはファームウェアとして実施されてもよい。特に、ファームウェアまたはソフトウェアの場合、例示的実施形態は、コンピュータプロセッサによる実行のために、コンピュータプログラムコード（すなわち、ソフトウェアまたはファームウェア）を具現化するコンピュータ可読記憶媒体を含むコンピュータプログラム製品として提供され得る。コンピュータ可読記憶媒体は、非一時的（例えば、磁気ディスク、光ディスク、読み出し専用メモリ、フラッシュメモリデバイス、相変化メモリ）、または一時的（例えば、電気、光、音響、もしくは搬送波、赤外線信号、デジタル信号などの他の形態の伝播信号）であってもよい。プロセッサと他のコンポーネントとの連結は、典型的には、１つまたは複数のバスまたはブリッジ（バスコントローラとも呼ばれる）を通してである。記憶デバイスおよび信号搬送デジタルトラフィックは、それぞれ１つまたは複数の非一時的または一時的コンピュータ可読記憶媒体を表す。よって、所与の電子デバイスの記憶デバイスは、典型的には、コントローラなどの電子デバイスの１つまたは複数のプロセッサのセット上での実行のための、コードおよび／またはデータを記憶する。
【００７２】
実施形態およびその利点は、詳細に説明されているが、様々な変更、代用、および改変が、添付の特許請求の範囲によって規定されるように、その趣旨および範囲から逸脱することなく本明細書において行われ得ると理解されるべきである。例えば、上述した特徴および機能のうちの多くが、ソフトウェア、ハードウェア、もしくはファームウェア、またはそれらの組み合わせで実施され得る。また、特徴、機能、ならびに特徴および機能を動作させるステップのうちの多くが、再順序付けされ、省略され、追加されるなどしてもよく、多様な実施形態の広範な範囲内にやはり含まれ得る。
【００７３】
さらに、多様な実施形態の範囲は、明細書において説明したプロセス、機械、製造物、合成物、手段、方法、およびステップの特定の実施形態に限定されるように意図されない。当業者が開示から容易に理解するように、本明細書で説明された対応する実施形態と、実質的に同じ機能を実行し、または実質的に同じ結果を達成する、現在存在している、または後に開発されることとなる、プロセス、機械、製造物、合成物、手段、方法、またはステップが、同様に利用されてもよい。したがって、添付の特許請求の範囲は、そのようなプロセス、機械、製造物、合成物、手段、方法、またはステップをそれらの範囲内に含むように意図される。
【図１】
2020507982.tif 000003
【図２】
2020507982.tif 000004
【図３】
2020507982.tif 000005
【図４】
2020507982.tif 000006
【図５】
2020507982.tif 000007
【図６】
2020507982.tif 000008
【図７】
2020507982.tif 000009
【図８】
2020507982.tif 000010
【図９】
2020507982.tif 000011
【図１０】
2020507982.tif 000012
【図１１】
2020507982.tif 000013
【図１２】
2020507982.tif 000014
【図１３】
2020507982.tif 000015
【図１４】
2020507982.tif 000016
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
ネットワークスライシングを採用する通信システム（１００、９００）における装置（１１０、２００、９１０、９２０）であって、
前記通信システム（１００、９００）との通信の優先度を示し、ネットワークスライス（スライス０、スライス１）に依存する基準に基づく事前設定済みアクセスカテゴリを選択し、
前記通信システム（１００、９００）とのランダムアクセス手順に従って、前記事前設定済みアクセスカテゴリを含むアクセスメッセージ（ｍｓｇ３）を送信し、
前記事前設定済みアクセスカテゴリに基づいてバーリングチェックを実行するように設定される処理回路（２１０）を備える、装置（１１０、２００、９１０、９２０）。
【請求項２】
前記装置（１１０、２００、９１０、９２０）が前記通信システム（１００、９００）にアタッチされるときに、前記アクセスメッセージ（ｍｓｇ３）が、前記ネットワークスライス（スライス０、スライス１）との通信のための汎用アクセスカテゴリを示す情報要素を含む、請求項１に記載の装置（１１０、２００、９１０、９２０）。
【請求項３】
前記装置（１１０、２００、９１０、９２０）が前記通信システム（１００、９００）にアタッチされるときに、前記アクセスメッセージ（ｍｓｇ３）が、好適なネットワークスライス、原因値、および所望のサービス品質のうちの少なくとも１つを示す、請求項１に記載の装置（１１０、２００、９１０、９２０）。
【請求項４】
前記処理回路（２１０）が、前記通信システム（１００、９００）との前記ランダムアクセス手順を開始するために初期アクセスメッセージ（ｍｓｇ１）を送信するようにさらに設定される、請求項１に記載の装置（１１０、２００、９１０、９２０）。
【請求項５】
ネットワークスライシングを採用する通信システム（１００、９００）においてユーザ機器（１１０、２００、９１０、９２０）によって実行される方法（１３００）であって、
前記通信システム（１００、９００）との通信の優先度を示し、ネットワークスライス（スライス０、スライス１）に依存する基準に基づく事前設定済みアクセスカテゴリを選択すること（１３３０）と、
前記事前設定済みアクセスカテゴリに基づいてバーリングチェックを実行すること（１３４０）と、
を含む方法（１３００）。
【請求項６】
前記ユーザ機器（１１０、２００、９１０、９２０）が前記通信システム（１００、９００）にアタッチされるときに、アクセスメッセージ（ｍｓｇ３）が、前記ネットワークスライス（スライス０、スライス１）との通信のための汎用アクセスカテゴリを示す情報要素を含む、請求項５に記載の方法（１３００）。
【請求項７】
前記ユーザ機器（１１０、２００、９１０、９２０）が前記通信システム（１００、９００）にアタッチされるときに、アクセスメッセージ（ｍｓｇ３）が、好適なネットワークスライス、原因値、および所望のサービス品質のうちの少なくとも１つを示す、請求項５に記載の方法（１３００）。
【請求項８】
前記通信システム（１００、９００）との前記ランダムアクセス手順を開始するために、初期アクセスメッセージ（ｍｓｇ１）を送信すること（１３２０）をさらに含む、請求項５に記載の方法（１３００）。
【請求項９】
ネットワークスライシングを採用する通信システム（１００、９００）における装置（１２０、３００、９２０）であって、
前記通信システム（１００、９００）においてユーザ機器（１１０、２００、９１０、９２０）とのランダムアクセス手順に従ってアクセスメッセージ（ｍｓｇ３）を受信し、前記アクセスメッセージ（ｍｓｇ３）が、前記通信システム（１００、９００）との通信の優先度を示し、ネットワークスライス（スライス０、スライス１）に依存する基準に基づく事前設定済みアクセスカテゴリを含み、
前記事前設定済みアクセスカテゴリおよび前記ネットワークスライス（スライス０、スライス１）に従って、前記ユーザ機器（１１０、２００、９１０、９２０）との接続を確立するためにセットアップメッセージ（ｍｓｇ４）を送信するように設定される処理回路（３１０）を備え、前記接続が、前記ユーザ機器（１１０、２００、９１０、９２０）との前記通信の前記優先度を考慮する、装置（１２０、３００、９２０）。
【請求項１０】
前記ユーザ機器（１１０、２００、９１０、９２０）が前記通信システム（１００、９００）にアタッチされるときに、前記アクセスメッセージ（ｍｓｇ３）が、前記ネットワークスライス（スライス０、スライス１）との通信のための汎用アクセスカテゴリを示す情報要素を含む、請求項９に記載の装置（１２０、３００、９２０）。
【請求項１１】
前記ユーザ機器（１１０、２００、９１０、９２０）が前記通信システム（１００、９００）にアタッチされるときに、前記アクセスメッセージ（ｍｓｇ３）が、好適なネットワークスライス、原因値、および所望のサービス品質のうちの少なくとも１つを示す、請求項９に記載の装置（１２０、３００、９２０）。
【請求項１２】
前記処理回路（３１０）が、前記通信システム（１００、９００）において前記ユーザ機器（１１０、２００、９１０、９２０）との前記ランダムアクセス手順を開始するために初期アクセスメッセージ（ｍｓｇ１）を受信するようにさらに設定される、請求項９に記載の装置（１２０、３００、９２０）。
【請求項１３】
前記処理回路（３１０）が、前記ユーザ機器（１１０、２００、９１０、９２０）をコアネットワークインスタンス（９３０、９５０）にルーティングするために、前記コアネットワークインスタンス（９３０、９５０）にサービス要求メッセージ（初期ＵＥメッセージ）を送信するようにさらに設定される、請求項９に記載の装置（１２０、３００、９２０）。
【請求項１４】
前記ユーザ機器（１１０、２００、９１０、９２０）が前記通信システム（１００、９００）にアタッチされるときに、前記サービス要求メッセージ（初期ＵＥメッセージ）が、前記ユーザ機器（１１０、２００、９１０、９２０）のシステムアーキテクチャエボリューション一時移動加入者識別を含む、請求項１３に記載の装置（１２０、３００、９２０）。
【請求項１５】
前記セットアップメッセージ（ｍｓｇ４）が、前記通信システム（１００、９００）へのアクセス権を有する前記事前設定済みアクセスカテゴリの機能である、請求項９に記載の装置（１２０、３００、９２０）。
【請求項１６】
ネットワークスライシングを採用する通信システム（１００、９００）において基地局（１２０、３００、９２０）によって実行される方法（１４００）であって、
前記通信システム（１００、９００）においてユーザ機器（１１０、２００、９１０、９２０）とのランダムアクセス手順に従ってアクセスメッセージ（ｍｓｇ３）を受信すること（１４４０）であって、前記アクセスメッセージ（ｍｓｇ３）が、前記通信システム（１００、９００）との通信の優先度を示し、ネットワークスライス（スライス０、スライス１）に依存する基準に基づく事前設定済みアクセスカテゴリを含む、アクセスメッセージ（ｍｓｇ３）を受信すること（１４４０）と、
前記事前設定済みアクセスカテゴリおよび前記ネットワークスライス（スライス０、スライス１）に従って、前記ユーザ機器（１１０、２００、９１０、９２０）との接続を確立するためにセットアップメッセージ（ｍｓｇ４）を送信すること（１４５０）と、を含み、前記接続が、前記ユーザ機器（１１０、２００、９１０、９２０）との前記通信の前記優先度を考慮する、方法（１４００）。
【請求項１７】
前記ユーザ機器（１１０、２００、９１０、９２０）が前記通信システム（１００、９００）にアタッチされるときに、前記アクセスメッセージ（ｍｓｇ３）が、前記ネットワークスライス（スライス０、スライス１）との通信のための汎用アクセスカテゴリを示す情報要素を含む、請求項１６に記載の方法（１４００）。
【請求項１８】
前記ユーザ機器（１１０、２００、９１０、９２０）が前記通信システム（１００、９００）にアタッチされるときに、前記アクセスメッセージ（ｍｓｇ３）が、好適なネットワークスライス、原因値、および所望のサービス品質のうちの少なくとも１つを示す、請求項１６に記載の方法（１４００）。
【請求項１９】
前記通信システム（１００、９００）において前記ユーザ機器（１１０、２００、９１０、９２０）との前記ランダムアクセス手順を開始するために、初期アクセスメッセージ（ｍｓｇ１）を受信すること（１４２０）をさらに含む、請求項１６に記載の方法（１４００）。
【請求項２０】
前記ユーザ機器（１１０、２００、９１０、９２０）をコアネットワークインスタンス（９３０、９５０）にルーティングするために、前記コアネットワークインスタンス（９３０、９５０）にサービス要求メッセージ（初期ＵＥメッセージ）を送信すること（１４７０）をさらに含む、請求項１６に記載の方法（１４００）。
【請求項２１】
前記ユーザ機器（１１０、２００、９１０、９２０）が前記通信システム（１００、９００）にアタッチされるときに、前記サービス要求メッセージ（初期ＵＥメッセージ）が、前記ユーザ機器（１１０、２００、９１０、９２０）のシステムアーキテクチャエボリューション一時移動加入者識別を含む、請求項２０に記載の方法（１４００）。
【請求項２２】
前記セットアップメッセージ（ｍｓｇ４）が、前記通信システム（１００、９００）へのアクセス権を有する前記事前設定されたアクセスカテゴリの機能である、請求項１６に記載の方法（１４００）。
【国際調査報告】
2020507982.tif 000017
2020507982.tif 000018
2020507982.tif 000019
2020507982.tif 000020